(57)【要約】【課題】  外字データの更新及び管理を自動的に行えるＩＤカード作成システム及び方法を提供する。【解決手段】  ホストコンピュータ１と複数のＩＤカード作成端末機３Ａ〜３Ｃとの間にグループコントローラ２を介在させ、ホストコンピュータ１から文字情報中に含まれている外字データの更新を指示し、グループコントローラ２で各端末機の外字データ更新履歴を参照して更新の必要ありと判断した端末機に外字データを送信して端末機に更新を行わせる。【選択図】      図１
2004224055.tif 000002
【特許請求の範囲】
【請求項１】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部が、前記文字情報中に含まれている外字データの更新を指示し、端末機側に更新を実行させることを特徴とするＩＤカード作成システム。
【請求項２】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記端末機側が、前記ホスト制御部からの前記文字情報中に含まれている外字データの更新指示があったのに基づき、未作成カードのデータの残存の有無を判断して更新を実行することを特徴とするＩＤカード作成システム。
【請求項３】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部と前記端末機との間にグループ制御部を介在させ、前記ホスト側制御部は、前記グループ制御部を介して前記文字情報中に含まれている外字データの更新を指示し、端末機側で更新を実行させることを特徴とするＩＤカード作成システム。
【請求項４】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部と前記端末機との間にグループ制御部を介在させ、前記端末機側では、前記グループ制御部からの更新指示があったのに基づき、未作成カードの残存の有無を判断して、前記文字情報中に含まれている外字データの更新を実行することを特徴とするＩＤカード作成システム。
【請求項５】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部と前記端末機との間にグループ制御部を介在させ、前記端末機側では、前記グループ制御部で作成され、送信される業務電文と回線監視用のパトロール電文及びこのパトロール電文中に外字データ更新を指示する情報を受信することを特徴とするＩＤカード作成システム。
【請求項６】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部と前記端末機との間にグループ制御部を介在させ、前記端末機側では、前記グループ制御部で保持され、送信される外字データの更新履歴ファイル及びこの履歴ファイルを参照して得られた外字データを送信することを特徴とするＩＤカード作成システム。
【請求項７】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記ホスト側制御部が、前記文字情報中に含まれている外字データの更新を指示し、端末機側で更新を実行させることを特徴とするＩＤカード作成方法。
【請求項８】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記端末機側が、前記ホスト制御部からの前記文字情報中に含まれている外字データの更新指示があったのに基づき、未作成カードのデータの残存の有無を判断して更新を実行することを特徴とするＩＤカード作成方法。
【請求項９】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記ホスト側制御部と前記端末機との間にグループ制御部を介在させ、前記ホスト側制御部は、前記グループ制御部を介して前記文字情報中に含まれている外字データの更新を指示し、端末機側で更新を実行させることを特徴とするＩＤカード作成方法。
【請求項１０】
ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記ホスト側制御部と前記端末機との間にグループ制御部を介在させ、前記端末機側では、前記グループ制御部からの更新指示があったのに基づき、未作成カードの残存の有無を判断して、前記文字情報中に含まれている外字データの更新を実行することを特徴とするＩＤカード作成方法。
【発明の詳細な説明】
【技術分野】
【０００１】
本発明はＩＤカード作成システム及び方法に関し、例えば各種免許証等の顔写真入りＩＤカード（個人識別カード）を作成するシステム及び方法に関する。
【背景技術】
【０００２】
従来のＩＤカード作成システムは、ホストコンピュータに複数の端末機（ＩＤカード作成装置）が接続されており、各端末機では申請書の記載内容に基づいて情報を入力すると共に、撮影部で顔写真の撮影を行ってこれを画像データ（イメージデータ）として制御部に入力すると、制御部では前記ホストコンピュータから必要な情報を読み出し、前記画像データと文字データを合成処理して、その結果を作成部でプリントアウトしてＩＤカードを作成発行するようになっている。そしてこのように作成されたＩＤカードの各種データを前記ホストコンピュータにファイルするようになっている。
【発明の開示】
【発明が解決しようとする課題】
【０００３】
そして、１台のホストコンピュータに対して数十台の端末機が接続されてシステム稼働される方式を用いており、各端末機では顔画像の印刷と記載文字の印刷がカード上で行われる。この記載文字には標準の第１，第２水準のＪＩＳ漢字約７０００文字以外に、特殊文字（以下外字データという）が含まれている。
【０００４】
このため、必要に応じて外部データの更新を行わなければならない。従来は、ＲＯＭの交換により各端末機の外字データを交換する方式を採用していた。このため、個々の端末機に対して個別に交換作業が必要となり、人手によって行われるので作業ミスが生じやすく、また、外字データの更新の管理が面倒であった。
【０００５】
このように、従来の外字データの更新は人手によって行われていたので、次のような問題も生じていた。
【０００６】
（１）前日の仕掛かりとして、未発行のＩＤカードが存在している場合、本日からの外字データを使うのではなく、以前の外字データを使わなければならないが、その管理が難しくミスが起り易い。
【０００７】
（２）本日から新規外字の更新を行わなければならないのに、それを失念して端末機を操作したために古い外字データで印刷を行ってしまうということも生じる。
【０００８】
本発明は前記問題点を解決するためになされたものであり、特殊文字（外字データ）の更新及び管理を自動的に行うことができるＩＤカード作成システム及び方法を提供することを目的とする。
【課題を解決するための手段】
【０００９】
請求項１記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部が、前記文字情報中に含まれている外字データの更新を指示し、端末機側で更新を実行させることを特徴とする。
【００１０】
請求項２記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記端末機側が、前記ホスト制御部からの前記文字情報中に含まれている外字データの更新指示があったのに基づき、未作成カードのデータの残存の有無を判断して更新を実行することを特徴とする。
【００１１】
請求項３記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部と前記端末機との間にグループ制御部を介在させ、前記ホスト側制御部は、前記グループ制御部を介して前記文字情報中に含まれている外字データの更新を指示し、端末機側で更新を実行させることを特徴とする。
【００１２】
請求項４記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部と前記端末機との間にグループ制御部を介在させ、前記端末機側では、前記グループ制御部からの更新指示があったのに基づき、未作成カードの残存の有無を判断して、前記文字情報中に含まれている外字データの更新を実行することを特徴とする。
【００１３】
請求項５記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部と前記端末機との間にグループ制御部を介在させ、前記端末機側では、前記グループ制御部で作成され、送信される業務電文と回線監視用のパトロール電文及びこのパトロール電文中に外字データ更新を指示する情報を受信することを特徴とする。
【００１４】
請求項６記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成するシステムにおいて、
前記ホスト側制御部と前記端末機との間にグループ制御部を介在させ、前記端末機側では、前記グループ制御部で保持され、送信される外字データの更新履歴ファイル及びこの履歴ファイルを参照して得られた外字データを送信することを特徴とする。
【００１５】
請求項７記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記ホスト側制御部が、前記文字情報中に含まれている外字データの更新を指示し、端末機側で更新を実行させることを特徴とする。
【００１６】
請求項８記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記端末機側が、前記ホスト制御部からの前記文字情報中に含まれている外字データの更新指示があったのに基づき、未作成カードのデータの残存の有無を判断して更新を実行することを特徴とする。
【００１７】
請求項９記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記ホスト側制御部と前記端末機との間にグループ制御部を介在させ、前記ホスト側制御部は、前記グループ制御部を介して前記文字情報中に含まれている外字データの更新を指示し、端末機側で更新を実行させることを特徴とする。
【００１８】
請求項１０記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記ホスト側制御部と前記端末機との間にグループ制御部を介在させ、前記端末機側では、前記グループ制御部からの更新指示があったのに基づき、未作成カードの残存の有無を判断して、前記文字情報中に含まれている外字データの更新を実行することを特徴とする。
【００１９】
請求項１１記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記ホスト側制御部と前記端末機との間にグループ制御部を介在させ、前記端末機側では、前記グループ制御部で作成され、送信される業務電文と回線監視用のパトロール電文及びこのパトロール電文中に外字データ更新を指示する情報を受信することを特徴とする。
【００２０】
請求項１２記載の発明は、ホスト側制御部に接続された複数の端末機を有し、前記端末機で前記ホスト側制御部から得られた文字情報に基づいてＩＤデータを作成し、ＩＤデータとイメージデータを合成してＩＤカードを作成する方法において、
前記ホスト側制御部と前記端末機との間にグループ制御部を介在させ、前記端末機側では、このグループ制御部で保持され、送信される外字データの更新履歴ファイル及びこの履歴ファイルを参照して得られた外字データを受信することを特徴とする。
【発明の効果】
【００２１】
以上のような本発明によれば、特殊文字（外字データ）の更新及び管理を自動的に行うことのできるＩＤカード作成システムを提供することができる。
【発明を実施するための最良の形態】
【００２２】
以下図面を参照して本発明の実施の形態を説明する。
【００２３】
図１は、本発明の概略ブロック図を示すものである。
【００２４】
１はホストコンピュータ（ホスト側制御部）であり、これにはグループコントローラ（グループ制御部）２が接続されている。そして、このグループコントローラ２には複数のＩＤカード作成装置（端末機）３Ａ〜３Ｃが接続されている。このＩＤカード作成端末機３Ａは、制御部４を中心として、その制御部４に入力部５、撮影部６、記憶部７、表示部８、作成部（発行部）９が接続されて構成されている。
【００２５】
前記入力部５は、例えば各種免許証の申請人のＩＤ情報（氏名，生年月日，住所等）を入力するためのキーボードを有しているものであり、前記撮影部６は、申請人をカメラ等で撮影し、顔写真をイメージデータに変換するものであり、記憶部７は、必要な情報（文字情報等）を格納しておき、必要に応じて制御部４からの書込み、読み出しが行われるものであり、表示部８は、制御部４で合成された文字情報とイメージデータを表示するものであり、作成部（発行部）９は、制御部によって合成された文字情報とイメージデータをカードに印刷してＩＤカードを作成（発行）するものでる。
【００２６】
前記制御部４は、また後述するグループコントローラ２から、文字情報中の特殊文字（外字又は外字データという）の更新の指示があったときに、この端末機３Ａが前日の未発行のカード（未作成データ）が有るか否かを判断し、未発行データがあれば、旧外字データを用いてＩＤカードを発行し、その後に更新外字データを受け容れるような制御を行っている。
【００２７】
ホストコンピュータ１は、各端末機の動作制御を行うと共に、ＩＤカード作成に必要な情報を各端末機に送信する機能を有するものであり、特に文字情報中の特殊文字（外字データ）の更新の要否を判断してグループコントローラ２を介して各端末機に指示する機能をも有している。
【００２８】
前記グループコントローラ２は、それに接続された複数の端末機の業務を指示するものであり、前記ホストコンピュータ１の指示により動作するようになっている。このグループコントローラ２は、前記各端末機の業務を指示する業務電文と、この業務電文を送信する前に回線を監視する電文（パトロール電文）を送信する機能を有している。
【００２９】
また、このグループコントローラ２は、外字フォント（データ）を登録する機能も有し、また図２に示すような外字ファイル１０や図３に示すような外字バージョン履歴ファイル１２を保持している。
【００３０】
図２に示す外字ファイル１０は、例えば外字ファイルＶ１．１（Ｖはバージョンを表わす）として、以前の外字ファイルＶ１．０の外字データ群と、新しく追加された追加外字データとを含むものである。図中左肩の数字「１」は追加外字有のフラグ１１である。図３に示す外字バージョン履歴ファイル１２は、各ＩＤカード作成機（端末機）のＮｏと対応付けて、それに保持されている外字ファイルのバージョンを示すものとして構成されている。
【００３１】
そして、前記グループコントローラ２は、ホストコンピュータ１からの外字データ更新の要ありの連絡に基づき、その外字データの登録を行うと共に、端末機の外字ファイルの更新状況を判断して、未更新であればパトロール電文中に「外字有」の情報を乗せて端末機側に連絡するようになっている。
【００３２】
次に、このようなグループコントローラ２での外字登録動作について図４のフローチャートを参照して説明する。
【００３３】
先ず、グループコントローラ２に設けてある入力操作部（図示せず）によって、外字登録モードに設定し（ステップＳ１）、ホスト側から連絡のあった必要な外字データを作成して登録する（ステップＳ２）。そしてその後、前記外字バージョンファイル中のバージョンＮｏを更新し（ステップＳ３）、次にフラグビットをＯＮにし（ステップＳ４）、登録を終了する（ステップＳ５）。
【００３４】
次に図６のフローチャートを用いてグループコントローラ２で実行される外字データ更新用電文の処理について説明する。
【００３５】
通常処理モードに入る（ステップＳ２１）と、次にフラグビットがＯＮか（１か）否かが判断され（ステップＳ２２）、Ｎであればパトロール電文が送信され（ステップＳ２３）、Ｙであればパトロール電文中に「外字有」を入れて送信する（ステップＳ２４）。次に端末機から外字データ要求電文がありか否かが判断され（ステップＳ２５）、Ｎであれば業務電文要求か否かが判断される（ステップＳ２６）。ここで、業務電文要求であれば通常の業務処理に移行し（ステップＳ２７）、業務電文要求でなければ再びステップＳ２２に戻る。前記ステップＳ２５で、外字データ要求電文であると判断された場合は、次に前記外字ファイルのバージョンＮｏと履歴ファイルを参照する（ステップＳ２８）。そして次に、該当端末機が更新済か否かを判断し、更新済であれば元のステップＳ２２に戻り、未更新であると判断すれば、次に、外字データを端末機へ送信する（ステップＳ３０）。このとき、外字データの送信方式として、新たな外字バージョン一式を送信して端末機の外字バージョンをそっくり入れ替える方式と、追加された外字データのみを送信して端末機の外字に新外字データを追加する方式の２通りが考えられる。このようにして外字データの送信が終了した後は、履歴ファイルの内容を更新する（ステップＳ３１）。
【００３６】
以上のようにして外字データの送信が行われた端末機の動作を図５のフローチャートを参照して説明する。
【００３７】
ステップＳ１１でスタートし、未作成データ（前回残ってしまった未作成カード）が有るか否かが判断され（ステップＳ１２）、無ければステップＳ１４の外字データ更新のフローに移行するが、未作成データ有の場合は外字データ更新前のデータを用いてＩＤカードを作成する（ステップＳ１３）。そして、外字データ更新は、先ずパトロール電文中に外字有のデータが含まれているか否かを判断し（ステップＳ１４）、含まれていなければ通常のカード作成業務に移行する（ステップＳ１７）が、含まれていれば、外字データをグループコントローラ２に対して要求し（ステップＳ１５）、外字データをダウンロードして外字データ更新を行う（ステップＳ１６）。
【００３８】
以上詳述したように、ホスト側制御部あるいはグループコントローラによって端末機側での外字データの更新を自動的に行うので、従来の人手による作業に比べてミスの少ない処理が行える。
【００３９】
そして、グループコントローラによって外字登録と、外字データ更新の監視を行っているので、監視が容易確実であり、またホストコンピュータ立上げ時に送信されるパトロール電文中に外字データ更新の情報を入れているので、外字データ更新のし忘れを防止することができる。また、ホストコンピュータと端末機との間にグループコントローラを介在させているので、仮にホストコンピュータがダウンしたとしてもグループコントローラが作動していれば、カード作成作業が中断するおそれもないし、さらに、全ての端末機をホストコントローラに接続する場合に比べて、グループ毎に分割して、それぞれをグループコントローラに管理させる形式であるからホストコンピュータの負担を軽減することができる。
【００４０】
さらに、端末機側では、送られてきた外字データを入力する際に、未作成カードの有無を判断し、有れば以前のデータでカードを作成した際、外字データの更新を行う形式をとっているので、前日未作成のカードを新たな外字データを使用して作成してしまうというようなミスを犯さなくて済む。
【図面の簡単な説明】
【００４１】
【図１】本発明の実施の形態を示すブロック図
【図２】本発明の制御部に保持される外字ファイルのフォーマット
【図３】本発明の制御部に保持される外字バージョン履歴ファイルのフォーマット
【図４】本発明の制御部における外字登録のフローチャート
【図５】本発明の端末機での外字データ更新のフローチャート
【図６】本発明の制御部での外字データ更新のフローチャート
【符号の説明】
【００４２】
１  ホストコンピュータ（ホスト側制御部）
２  グループコントローラ（グループ制御部）
３Ａ〜３Ｃ  ＩＤカード作成端末機
４  制御部
５  入力部
６  撮影部
７  記憶部
８  表示部
９  作成部
【図１】
2004224055.tif 000003
【図２】
2004224055.tif 000004
【図３】
2004224055.tif 000005
【図４】
2004224055.tif 000006
【図５】
2004224055.tif 000007
【図６】
2004224055.tif 000008